(57)【要約】      （修正有）【課題】表示情報を適切な表示サイズに調整可能な表示サイズ調整システムを提供する。【解決手段】表示サイズ調整システムは、所定の音波を発生させ、いずれかの壁面から反射した音波の反射波を取得する発音受音部７と、音波を発生させてから音波の反射波を取得するまでの時間差に基づいて壁面と発音受音部７との距離を測定する距離測定部３２と、測定された距離に対応させて、所定の表示面に表示される画像に含まれる表示情報の表示サイズを調整する表示サイズ調整部３４と、を備える。【選択図】図１
2019117276.tif 000002
【特許請求の範囲】
【請求項１】
所定の音波を発生させ、いずれかの壁面から反射した前記音波の反射波を取得する発音受音部と、
前記音波を発生させてから前記音波の反射波を取得するまでの時間差に基づいて前記壁面と前記発音受音部との距離を測定する距離測定部と、
測定された前記距離に対応させて、所定の表示面に表示される画像に含まれる表示情報の表示サイズを調整する表示サイズ調整部と、
を備える、
表示サイズ調整システム。
【請求項２】
前記距離測定部は、前記反射波を複数取得した場合、最も長い時間差に基づいて前記距離を測定する、
請求項１に記載の表示サイズ調整システム。
【請求項３】
前記距離測定部は、前記反射波を複数取得した場合、最も長い第１時間差と当該第１時間差の次に長い第２時間差とに基づいて前記距離を測定する、
請求項２又は請求項３に記載の表示サイズ調整システム。
【請求項４】
前記距離測定部は、所定の強度以上の前記反射波に基づいて前記距離を測定する、
請求項１から請求項３のいずれか一項に記載の表示サイズ調整システム。
【請求項５】
前記表示サイズ調整部は、測定された前記距離と、前記表示面の画面サイズ情報と、に基づいて、前記表示情報の表示サイズを調整する、
請求項１から請求項４のいずれか一項に記載の表示サイズ調整システム。
【請求項６】
前記画面サイズ情報は、前記画像が分割されて表示される場合、前記画像の分割数に応じて設定される、
請求項１から請求項５のいずれか一項に記載の表示サイズ調整システム。
【請求項７】
所定の表示面を観察する人物を含む所定の範囲を撮像する撮像部と、
撮像された画像情報から相対的に多数の人物が存在する領域を特定し、撮像位置から前記領域までの距離を測定する距離測定部と、
測定された前記距離に基づいて、前記表示面に表示される画像に含まれる表示情報の表示サイズを調整する表示サイズ調整部と、
を備える、
表示サイズ調整装置。
【発明の詳細な説明】
【技術分野】
【０００１】
本発明は、表示サイズ調整システムに関する。
【背景技術】
【０００２】
近年、表示画面においてテキスト情報等の表示サイズを調整することができる情報端末が知られるようになってきた。
【０００３】
これに関し、特許文献１には、利用者に関する画像情報を取得する画像取得手段と種々の表示情報を表示可能な表示手段とを備え、利用者が利用する携帯端末であって、画像取得手段にて取得された画像情報の変化に基づいて利用者との距離および当該利用者の向きを画像認識によりそれぞれ求める画像認識手段と、この画像認識手段にて認識された利用者との距離の変化等に応じて表示手段に表示される表示情報のサイズ等を自動調整する制御手段と、を含むことを特徴とする携帯端末が記載されている。
【先行技術文献】
【特許文献】
【０００４】
【特許文献１】特開２０１０−９５０２号公報
【発明の概要】
【発明が解決しようとする課題】
【０００５】
従来から、大きな会議室において、テキストをディスプレイ等の表示装置で表示する場合、表示サイズの設定内容によっては、当該会議室において表示装置から遠い位置にいる参加者は、表示されるテキストが小さすぎて視認することができないし、他方で、当該会議室において表示装置から近い位置にいる人物にとっては、表示されるテキストが大き過ぎることで見づらくなるし、画面から得られる情報量も極端に少なくなってしまうという課題があった。そこで、特許文献１に記載されているように撮像装置のみを用いて、会議室にいる参加者を検出し、検出された参加者との距離を測定することで表示装置に表示されるテキストのサイズを調整する技術を採用することも考えられる。
【０００６】
しかしながら、撮像装置のみを用いて参加者を検出し、検出された参加者との距離を測定する場合であって、例えば会議室のパーティションが透明ガラスであるときには、撮像装置は、会議室の外にいる（会議に参加する意思のない）人物であっても透明ガラスを介して当該人物を検出してしまう可能性がある。よって、会議に参加する意思のない人物との距離に応じてテキストの表示サイズを調整してしまい、表示情報が適切なサイズで表示されることを望むユーザの要望に応えることができなかった。
【０００７】
そこで、本発明は、このような事情に鑑みてなされたものであり、表示情報を適切な表示サイズに調整可能な表示サイズ調整システムを提供することを目的とする。
【課題を解決するための手段】
【０００８】
本発明の一態様に係る表示サイズ調整システムは、所定の音波を発生させ、いずれかの壁面から反射した音波の反射波を取得する発音受音部と、音波を発生させてから音波の反射波を取得するまでの時間差に基づいて壁面と発音受音部との距離を測定する距離測定部と、測定された距離に対応させて、所定の表示面に表示される画像に含まれる表示情報の表示サイズを調整する表示サイズ調整部と、を備える。
【０００９】
上記表示サイズ調整システムにおいて、距離測定部は、反射波を複数取得した場合、最も長い時間差に基づいて距離を測定してもよい。
【００１０】
上記表示サイズ調整システムにおいて、距離測定部は、反射波を複数取得した場合、最も長い第１時間差と当該第１時間差の次に長い第２時間差とに基づいて距離を測定してもよい。
【００１１】
上記表示サイズ調整システムにおいて、距離測定部は、所定の強度以上の反射波に基づいて距離を測定してもよい。
【００１２】
上記表示サイズ調整システムにおいて、表示サイズ調整部は、測定された距離と、表示面の画面サイズ情報と、に基づいて、表示情報の表示サイズを調整してもよい。
【００１３】
上記表示サイズ調整システムにおいて、画面サイズ情報は、画像が分割されて表示される場合、画像の分割数に応じて設定されてもよい。
【００１４】
本発明の一態様に係る表示サイズ調整システムは、所定の表示面を観察する人物を含む所定の範囲を撮像する撮像部と、撮像された画像情報から相対的に多数の人物が存在する領域を特定し、撮像位置から領域までの距離を測定する距離測定部と、測定された距離に基づいて、表示面に表示される画像に含まれる表示情報の表示サイズを調整する表示サイズ調整部と、を備える。
【００１５】
なお、本発明において、「部」、「装置」、「システム」とは、単に物理的手段を意味するものではなく、その「部」、「装置」、「システム」が有する機能をソフトウェアによって実現する場合も含む。また、１つの「部」、「装置」、「システム」が有する機能が２つ以上の物理的手段や装置により実現されても、２つ以上の「部」、「装置」、「システム」の機能が１つの物理的手段や装置により実現されてもよい。
【発明の効果】
【００１６】
本発明によれば、表示情報を適切な表示サイズに調整可能な表示サイズ調整システムを提供することができる。
【図面の簡単な説明】
【００１７】
【図１】本発明の第１実施形態に係る表示サイズ調整システムの一例を示す模式図である。
【図２】本発明の第１実施形態に係る表示サイズ調整処理の一例を示すフローチャートである。
【図３】本発明の第１実施形態に係る表示サイズ調整処理における距離測定処理の一例を示す概念図である。
【図４】本発明の第１実施形態に係る表示装置における表示面で表示される画像の一例を示す図である。（Ａ）は、表示面で表示される画像であって分割表示されていない画像の一例を示す図である。（Ｂ）は、表示面で表示される画像であって分割表示された画像の一例を示す図である。
【図５】本発明の第２実施形態に係る表示サイズ調整処理における距離測定処理の他の一例を示す概念図である。
【図６】本発明の第３実施形態に係る表示サイズ調整システムの一例を示す概念図である。
【図７】本発明の第３実施形態に係る表示サイズ調整処理の一例を示すフローチャートである。
【発明を実施するための形態】
【００１８】
以下、図面を参照して本発明の実施の形態を説明する。ただし、以下に説明する実施形態は、あくまでも例示であり、以下に明示しない種々の変形や技術の適用を排除する意図はない。即ち、本発明は、その趣旨を逸脱しない範囲で種々変形（各実施例を組み合わせる等）して実施することができる。また、以下の図面の記載において、同一又は類似の部分には同一又は類似の符号を付して表している。図面は模式的なものであり、必ずしも実際の寸法や比率等とは一致しない。図面相互間においても互いの寸法の関係や比率が異なる部分が含まれていることがある。
【００１９】
＜第１実施形態＞
図１は、本発明の第１実施形態に係る表示サイズ調整システムの一例を示す模式図である。図１に示すように、表示サイズ調整システム１Ａは、例示的に、会議室Ｒのサイズに対応させて、表示情報ＨＩの表示サイズを調整する表示サイズ調整装置３と、所定の表示面Ｄに表示情報ＨＩを含む画像を表示する表示装置５と、所定の音波を発生させ、いずれかの壁面Ｗから反射した当該音波の反射波を取得する発音受音部７と、を備える。
【００２０】
表示サイズ調整装置３は、表示装置５及び発音受音部７と所定のネットワークＮを介して通信可能に接続されている。図１においては、遠隔地にいる会議参加者との電話会議の様子を一例として示している。例えば、表示装置５の表示面Ｄにおいて表示される画像に含まれる文字情報Ｔは、遠隔地にいる会議参加者の会話の内容を示している。なお、会議参加者が外国人の場合は、外国人の発言内容を翻訳した内容が文字情報Ｔとして表示されてもよい。
【００２１】
「表示情報」とは、画面に表示される情報であって、例えば文字情報のみならず画像情報をも含む概念である。つまり、表示装置５においては、表示面Ｄにおいて表示される画像に含まれる図１に示す文字情報Ｔ（表示情報ＨＩ）の表示サイズを調整するのみならず、表示面Ｄにおいて表示される画像に含まれるアイコンやスタンプ等の画像情報（表示情報ＨＩ）の表示サイズが調整されてもよい。
【００２２】
表示サイズ調整装置３は、例示的に、表示情報ＨＩや発音受音部７から送信された時間情報を取得する取得部３０と、発音受音部７が音波を発生させてから当該音波の反射波を取得するまでの時間差に基づいて壁面Ｗと発音受音部７との距離を測定する距離測定部３２と、距離測定部３２により測定された当該距離に対応させて、所定の表示面Ｄに表示される画像に含まれる表示情報ＨＩの表示サイズを調整する表示サイズ調整部３４と、表示サイズ調整部３４が調整した表示サイズで表示情報が表示装置５において表示されるように制御する表示制御部３６と、表示サイズ調整処理等に用いる各種情報及び処理結果を記録する記録部３８と、を備える。
【００２３】
表示サイズ調整装置３は、例えばコンピュータシステムからなるサーバ装置等によって構成され、ソフトウェアプログラムが記録部３８からメインメモリに転送されて実行されることにより、取得部３０、距離測定部３２、表示サイズ調整部３４及び表示制御部３６が機能ブロックとして動作する。また、当該プログラムは、例えば、所定のネットワークを介して、表示サイズ調整装置３の外部からダウンロードされて提供されてもよいし、又は、ＣＤ−ＲＯＭやＤＶＤ−ＲＯＭ等のコンピュータで読み取り可能な各種の情報記録媒体によって提供されてもよい。
【００２４】
記録部３８は、表示情報ＨＩと、距離測定部３２により測定された距離を示す距離情報ＫＩと、表示サイズ調整部３４が調整した表示サイズを示す表示サイズ情報ＳＩと、表示面Ｄの画面サイズを示す画面サイズ情報ＧＩと、を記録する。記録部３８は、上記各情報の少なくとも２以上を互いに関連付けて記録してもよいし、互いに関連づけないように記録してもよい。
【００２５】
表示装置５は、例えば大型モニターや大型テレビ等を採用し得るが、タブレット端末装置やスマートフォン等の情報出力が可能な他の装置であってもよい。また、表示装置５の台数に特に制限はなく、２台以上であってもよい。表示面Ｄは、例えば、液晶ディスプレイや有機ＥＬ（Electro Luminescence）ディスプレイなどの一般的な表示デバイスにより構成されてもよい。なお、表示装置５は、会議室Ｒのいずれかの壁面Ｗに設置されてもよいし、設置されなくてもよい。
【００２６】
発音受音部７は、例示的に、発音部としてのスピーカ７Ａと受音部としてのマイク７Ｂとを備えて構成されている。後述するとおり、スピーカ７Ａとして、無指向性又は指向性スピーカを採用し得る。また、マイク７Ｂとして、無指向性又は指向性マイクを採用し得る。さらに、後述する表示サイズ調整処理において、発音受音部７（スピーカ７Ａ）が音波を発生した位置と、発音受音部７（マイク７Ｂ）が当該音波の反射波を取得する位置は同一である必要があるが、他の場合については、スピーカ７Ａとマイク７Ｂとは異なる位置に配置されてもよい。なお、スピーカ７Ａ及びマイク７Ｂは常に一体として構成されている必要はなく、別体として構成されてもよい。なお、発音受音部７は、会議室Ｒのいずれかの壁面Ｗに設置されてもよいし、設置されなくてもよい。
【００２７】
（表示サイズ調整処理）
図２から図４を用いて本発明の第１実施形態に係る表示サイズ調整処理の一例を説明する。図２は、本発明の第１実施形態に係る表示サイズ調整処理の一例を示すフローチャートである。図３は、本発明の第１実施形態に係る表示サイズ調整処理における距離測定処理の一例を示す概念図である。なお、前提として、図３に示すように、Ｙ軸方向を長手方向とする長方形の会議室Ｒにおいて表示サイズ調整システムを動作させ、発音受音部７を壁面Ｗ４に（壁面Ｗ４の近傍に）設置することについて、予め当該システム上に設定する。また、図１に示す表示サイズ調整装置３の取得部３０は、例えば不図示の遠隔会議システムから遠隔地にいる会議参加者の発話内容等を含む表示情報ＨＩを予め取得している。
【００２８】
（ステップＳ１）
図１に示す取得部３０は、ユーザから入力された表示面Ｄの画面サイズを取得し、記録部３８は、画面サイズ情報ＧＩとして記録する。
【００２９】
（ステップＳ３）
図３に示すように、発音受音部７は、音波を発生する。発音受音部７は、例えば、少なくとも一の反射波を受信できる程度の強度の音波を発生するように構成される。発音受音部７は、同時に多数の音波を発生してもよいし、異なるタイミングで複数回音波を発生してもよい。
【００３０】
（ステップＳ５）
発音受音部７は、第１回目として音波の反射波を取得した場合は、ステップＳ７に進み、音波の反射波を取得できなかった場合は、ステップＳ３に戻る。図３の例では、発音受音部７は、Ｙ方向における音波の反射波よりも、Ｘ方向における音波の反射波を先に受信する。また、以下では、Ｘ方向（負）の反射波を、Ｘ方向（正）の反射波よりも先に受信する場合を説明する。
【００３１】
（ステップＳ７，Ｓ９，Ｓ１１）
図１に示す距離測定部３２は、所定の強度以上の反射波に基づいて距離を測定する。例えば、距離測定部３２は、音波の反射波の受信強度が所定の強度以上か否かを判断する。音波の反射波の受信強度が所定の強度以上である場合に、発音受音部７が音波を発生させてから当該音波の反射波を取得するまでの時間差に基づいて壁面と発音受音部７との距離を測定する。図３においては、距離測定部３２は、発音受音部７が音波を発生させてから当該音波の反射波を取得するまでの時間差ｔ１に基づいて壁面Ｗ１と発音受音部７との距離Ｌ１を測定する。距離測定部３２は、具体的に、時間差ｔ１と、音速（約３４０ｍ／ｓ）と、に基づいて距離Ｌ１を測定する。なお、音波に関して、壁面の反射による減衰は、空気抵抗における減衰よりも大きいことが知られている。よって、「所定の強度」について、例えば、音波が壁面において複数回反射したことを示す強度として設定し、実際に測定された音波の受信強度を所定の強度と比較することで、壁面において一回反射した反射波を特定することができる。このように、距離測定部３２は、例えば壁面において一回反射した反射波に基づいて壁面と発音受音部７との距離を測定してもよい。なお、所定の強度については、発音受音部の周囲の環境や測定条件等を勘案して、様々な強度を設定可能である。
【００３２】
（ステップＳ１３）
発音受音部７は、第２回目として音波の反射波を取得した場合は、ステップＳ１５に進み、音波の反射波を取得できなかった場合は、ステップＳ３に戻る。
【００３３】
（ステップＳ１５，Ｓ１７，Ｓ１９）
距離測定部３２は、例えば、音波の反射波の受信強度が所定の強度以上か否かを判断する。図３においては、音波の反射波の受信強度が所定の強度以上である場合に、距離測定部３２は、発音受音部７が音波を発生させてから当該音波の反射波を取得するまでの時間差ｔ２に基づいて壁面Ｗ２と発音受音部７との距離Ｌ２を測定する。
【００３４】
（ステップＳ２１）
発音受音部７は、第３回目として音波の反射波を取得した場合は、ステップＳ２３に進み、音波の反射波を取得できなかった場合は、ステップＳ３に戻る。
【００３５】
（ステップＳ２３，Ｓ２５，Ｓ２７）
距離測定部３２は、例えば、音波の反射波の受信強度が所定の強度以上か否かを判断する。図３においては、音波の反射波の受信強度が所定の強度以上である場合に、距離測定部３２は、発音受音部７が音波を発生させてから当該音波の反射波を取得するまでの時間差ｔ３に基づいて壁面Ｗ３と発音受音部７との距離Ｌ３を測定する。
【００３６】
（ステップＳ２９）
距離測定部３２は、距離Ｌ１と距離Ｌ２との和が距離Ｌ３よりも小さいか否か、つまり、予め設定した条件（例えば、Ｙ軸方向を長手方向とする長方形の会議室Ｒにおいて表示サイズ調整システムを動作させ、発音受音部７を壁面Ｗ４に設置すること）とおりに表示サイズ調整システムが使用されているか否かを判断する。条件とおりに表示サイズ調整システムが使用されている場合は、ステップＳ３１に進む。
【００３７】
この構成によれば、ユーザが当初予定したとおりに表示サイズ調整システムが活用されていることを確認することができるので、当初予定された内容で表示サイズ調整システムが活用されていない場合は、表示サイズ調整処理を、当初予定された内容で最初からやり直す契機となる。
【００３８】
（ステップＳ３１）
表示サイズ調整部３４は、距離測定部３２により測定された距離に対応させて、所定の表示面Ｄに表示される画像に含まれる表示情報ＨＩの表示サイズを調整する。表示サイズ調整部３４は、例えば、記録部３８に予め関連づけて記録された距離情報ＫＩ及び表示サイズ情報ＳＩを参照することで、測定された距離に対応した、表示情報の表示サイズを特定する。
【００３９】
ここで、距離測定部３２は、例えば反射波を複数取得した場合、最も長い時間差ｔ３に基づいて距離Ｌ３を測定する。
【００４０】
この構成によれば、図３に示す会議室Ｒに設置された発音受音部７から最も遠い壁面までの距離が測定できる。よって、当該壁面の近傍にいる会議参加者を対象として表示サイズに調整することができる。
【００４１】
距離測定部３２は、例えば反射波を複数取得した場合、最も長い第１時間差ｔ３と、当該第１時間差の次に長い第２時間差（ｔ１又はｔ２）と、に基づいて、距離（Ｌ４又はＬ５）を測定する。
【００４２】
この構成によれば、図３に示す会議室Ｒに設置された発音受音部７から最も遠い位置である壁面Ｗ１及びＷ３で形成される会議室Ｒの角までの距離Ｌ４、又は、発音受音部７から最も遠い位置である壁面Ｗ２及びＷ３で形成される会議室Ｒの角までの距離Ｌ５が測定できる。よって、発音受音部７から最も遠い位置の近傍にいる会議参加者を対象として表示サイズに調整することができる。
【００４３】
そして、図１に示す表示制御部３６は、表示サイズ調整部３４が調整した表示サイズで表示情報が表示装置５において表示されるように制御する。例えば、表示制御部３６は、表示サイズ調整部３４が、距離測定部３２により測定された距離と、表示面Ｄの画面サイズ情報ＧＩと、に基づいて、表示情報の表示サイズを調整した結果に基づいて、表示を制御する。
【００４４】
図４は、本発明の第１実施形態に係る表示装置における表示面で表示される画像の一例を示す図である。（Ａ）は、表示面で表示される画像であって分割表示されていない画像の一例を示す図である。（Ｂ）は、表示面で表示される画像であって分割表示された画像の一例を示す図である。
【００４５】
図４（Ａ）に示すように、図１に示す表示制御部３６は、距離測定部３２により測定された距離と、表示面Ｄの画面サイズ情報ＧＩと、に基づいて、表示サイズが調整された文字情報Ｔを含む画像Ｇを、表示装置５において表示するように制御する。
【００４６】
画面サイズ情報ＧＩは、画像Ｇが分割されて表示される場合、画像Ｇの分割数に応じて設定されてもよい。図４（Ｂ）に示すように、表示制御部３６は、距離測定部３２により測定された距離と、画像Ｇの分割数に応じて設定された画面サイズ情報ＧＩと、に基づいて、表示サイズが調整された文字情報Ｔを含む画像Ｇを、表示装置５において表示するように制御する。
【００４７】
この構成によれば、表示面Ｄにおいて画像Ｇが分割されて表示される場合であっても、表示情報を、画像Ｇの分割数に更に応じた表示サイズに調整することができる。
【００４８】
図３に戻り、Ｙ軸上に発音受音部７が配置されている場合、図１に示す距離測定部３２は、距離Ｌ１と距離Ｌ２とは同一であるとみなして、少なくとも一方の距離を測定することで、他方の距離を推定するように構成されてもよい。
【００４９】
この構成によれば、少なくとも一方の距離を測定するだけでよいので、より簡易な測定処理で済むので、測定処理の効率が向上する。
【００５０】
なお、距離測定部３２は、会議室Ｒにおける発音受音部７から壁面等までの距離を測定しているが、会議室Ｒの面積を測定してもよい。この場合、表示サイズ調整部３４は、例えば、記録部３８に予め関連づけて記録された面積情報（不図示）及び表示サイズ情報ＳＩを参照することで、測定された面積に対応した、表示情報の表示サイズを特定する。
【００５１】
以上説明した第１実施形態によれば、発音受音部７が音波を発生させてから当該音波の反射波を取得するまでの時間差に基づいていずれかの壁面と発音受音部７との距離を測定し、測定された当該距離に対応させて、表示装置５の所定の表示面Ｄに表示される画像に含まれる表示情報の表示サイズを調整する。よって、測定された距離に応じて表示情報を適切な表示サイズに調整できる。
【００５２】
＜第２実施形態＞
図５を用いて本発明の第２実施形態に係る表示サイズ調整処理における距離測定処理の一例を説明する。図５は、本発明の第２実施形態に係る表示サイズ調整処理における距離測定処理の一例を示す概念図である。第２実施形態に係る図５に示す概念図と、第１実施形態に係る図１に示す概念図との相違は、図５に示す発音受音部７が、いずれの壁面Ｗ１〜Ｗ４にも接していないのに対して、図１に示す発音受音部７が、壁面Ｗ４に接している点である。以下では、主に、第１実施形態と異なる点について説明する。
【００５３】
図５に示すように、発音受音部７が、いずれの壁面Ｗ１〜Ｗ４にも接していないため、図１に示す距離測定部３２は、図２に示すフローチャートに記載された処理と同様に、４回にわたって反射波を受信することで、各距離Ｌ１〜Ｌ４を測定してもよい。
【００５４】
図５の例において、図１に示すように、指向性があるスピーカ７Ａと指向性があるマイク７Ｂとを採用することで、発音受音部７は、四方向からの反射波を正確に把握することができるので、距離測定部３２は、より適切に各距離Ｌ１〜Ｌ４を測定することができる。なお、図３の例においても、発音受音部７として、指向性があるスピーカ７Ａと指向性があるマイク７Ｂとを採用することで、より正確な距離を測定することができる。
【００５５】
なお、上記距離測定処理においては、発音受音部７の位置を基準として会議室Ｒの壁面等との距離を測定している。よって、表示装置５と発音受音部７とは、同一の位置、又は、できる限り近い位置に配置されることが望ましい。よって、表示サイズ調整システムにおいては、例えば図５に示す領域Ａのように、表示装置５の位置から所定の範囲内に発音受音部７を配置するための限界範囲が設定されるように構成されてもよい。
【００５６】
以上説明した第２実施形態によれば、第１実施形態の効果、つまり、測定された距離に対応させて、表示情報を適切な表示サイズに調整できることに加えて、会議室Ｒ内において、発音受音部７の配置位置の自由度が高まるため、ユーザの利便性が向上する。
【００５７】
＜第３実施形態＞
図６及び図７を用いて本発明の第３実施形態に係る表示サイズ調整処理を説明する。図６は、本発明の第３実施形態に係る表示サイズ調整システムの一例を示す概念図である。第３実施形態に係る図６に示す表示サイズ調整システム１Ｂと、第１実施形態に係る図１に示す表示サイズ調整システム１Ａとの相違は、図６に示す表示サイズ調整システム１Ｂが、撮像部９を備えるのに対して、図１に示す表示サイズ調整システム１Ａは、撮像部を備えない点である。以下では、主に、第１実施形態と異なる点について説明する。
【００５８】
図６に示すように、表示サイズ調整システム１Ｂは、例示的に、所定の表示面Ｄを観察する人物を含む所定の範囲を撮像する撮像部９と、撮像された画像情報から相対的に多数の人物が存在する領域を特定し、撮像位置から当該領域までの距離を測定する距離測定部３２と、測定された距離に基づいて、表示面Ｄに表示される画像に含まれる表示情報の表示サイズを調整する表示サイズ調整部３６と、を備える。
【００５９】
図７は、本発明の第３実施形態に係る表示サイズ調整処理の一例を示すフローチャートである。図７に示すフローチャートは、図２に示すフローチャートにおけるＡから続くステップを示すものであってもよいし、図２に示すフローチャートとは独立したステップであってもよい。
【００６０】
（ステップ４１）
図６に示す撮像部９は、会議室Ｒの所定の範囲を撮像する。
【００６１】
（ステップ４３）
撮像部９により、例えば所定の表示面Ｄを観察する人物が検出された場合、ステップＳ４５に進み、所定の表示面Ｄを観察する人物が検出されなかった場合、ステップＳ４１に戻る。
【００６２】
（ステップ４５）
距離測定部３２は、撮像部９により撮像された画像情報から相対的に多数の人物が存在する領域を特定し、撮像位置から当該領域までの距離を測定する。
【００６３】
（ステップ４７）
距離測定部３２は、特定された領域が、会議室Ｒ内の領域であるか否かを判断する。距離測定部３２は、例えば、会議室Ｒにおける撮像部９から最も遠い壁面までの距離等が予め分かっている場合は、測定した距離と会議室Ｒにおける撮像部９から最も遠い壁面までの距離とを比較することで、特定された領域が、会議室Ｒ内の領域であるか否かを判断してもよい。
【００６４】
また、距離測定部３２は、例えば、撮像位置から当該領域までの距離と、図２に示すフローチャートにおける距離測定処理で測定した距離と、を比較することで、特定された領域が、会議室Ｒ内の領域であるか否かを判断してもよい。
【００６５】
（ステップ４９）
表示サイズ調整部３６は、距離測定部３２により測定された距離に基づいて、表示面Ｄに表示される画像に含まれる表示情報の表示サイズを調整する。
【００６６】
以上説明した第３実施形態によれば、撮像された画像情報から相対的に多数の人物が存在する領域を特定し、撮像位置から当該領域までの距離を測定し、測定された距離に基づいて、表示面Ｄに表示される画像に含まれる表示情報の表示サイズを調整する。よって、会議室Ｒにおいて相対的に多数の人物が存在する領域の位置に対応させて、表示情報を適切な表示サイズに調整できる。
【００６７】
なお、撮像部９により撮像された画像情報から特定の人物が存在する領域を特定し、撮像位置から当該領域までの距離を測定してもよい。
【００６８】
この構成によれば、特定の人物までの距離に応じた適切なサイズで表示情報を表示させることができる。
【００６９】
（他の実施形態）
上記各実施形態は、本発明の理解を容易にするためのものであり、本発明を限定して解釈するものではない。本発明はその趣旨を逸脱することなく、変更／改良（例えば、各実施形態を組み合わせること、各実施形態の一部の構成を省略すること）され得るとともに、本発明にはその等価物も含まれる。
【００７０】
例えば、第１実施形態と第３実施形態とを組み合わせることで、まず、会議室における発音受音部といずれかの壁面との距離を測定することで会議室のおよそのサイズを把握しつつ、撮像部により撮像された画像情報から相対的に多数の人物が存在する領域を特定し、撮像位置から当該領域までの距離を測定することで、会議室内にいる特定の人物までの距離に応じて表示情報の表示サイズをより正確に調整することができる。
【００７１】
図３に示す例では、Ｙ軸方向を長手方向とする長方形の会議室Ｒが採用されているが、Ｙ軸方向を短手方向とする長方形の会議室Ｒが採用されてもよい。なお、会議室Ｒの形状は長方形である必要はなく、正方形でもよいし、他の形状が採用されてもよい。
【符号の説明】
【００７２】
１Ａ，１Ｂ…表示サイズ調整システム
３…表示サイズ調整装置
５…表示装置
７…発音受音部
７Ａ…スピーカ
７Ｂ…マイク
９…撮像部
３０…取得部
３２…距離測定部
３４…表示サイズ調整部
３６…表示制御部
３８…記録部
【図１】
2019117276.tif 000003
【図２】
2019117276.tif 000004
【図３】
2019117276.tif 000005
【図４】
2019117276.tif 000006
【図５】
2019117276.tif 000007
【図６】
2019117276.tif 000008
【図７】
2019117276.tif 000009